(57)【要約】【課題】養護施設などで使用されている移動式の椅子は、前脚と後脚の下端に移動用のキャスターが取付けられているが、身体が不自由な人が歩行時にそのような椅子につかまると椅子が動くので転倒する危険がある。【解決手段】椅子本体部２における左方前脚２Ｂ及び右方前脚２Ｃと左方後脚２Ｄ及び右方後脚２Ｅの内側に、平面方形のパネル３Ａと、このパネルの下面四隅に配設されたキャスター３Ｂから構成されている昇降板部３が昇降可能の状態で配設されている。【選択図】        図１
2005021177.tif 000002
【特許請求の範囲】
【請求項１】
椅子本体部（２）における左方前脚（２Ｂ）及び右方前脚（２Ｃ）と左方後脚（２Ｄ）及び右方後脚（２Ｅ）の内側に、平面方形のパネル（３Ａ）と、このパネルの下面四隅に配設されたキャスター（３Ｂ）から構成されている昇降板部（３）を昇降可能の状態で配設し、当該昇降板部（３）におけるキャスター（３Ｂ）が左方前脚（２Ｂ）及び右方前脚（２Ｃ）と左方後脚（２Ｄ）及び右方後脚（２Ｅ）の下端を基準にして昇降調整自在に構成されていることを特徴とする椅子。
【請求項２】
椅子本体部（２）と、昇降板部（３）と、作動部（４）と、ストッパ部（５）から構成され、
椅子本体部（２）は、平面方形の座（２Ａ）と、座（２Ａ）に垂下連設された角柱状の左方前脚（２Ｂ）及び右方前脚（２Ｃ）と、角柱状の左方後脚（２Ｄ）及び右方後脚（２Ｅ）と、左方前脚（２Ｂ）と左方後脚（２Ｄ）間における下端に配置連結された角材状の左方貫（２Ｆ）と、右方前脚（２Ｃ）と右方後脚（２Ｅ）間における下端に配置連結された角材状の右方貫（２Ｇ）と、左方前脚（２Ｂ）と右方前脚（２Ｃ）間に配置連結された前方貫（２Ｈ）と、左方後脚（２Ｄ）と右方後脚（２Ｅ）間に配置連結された後方貫（２Ｉ）と、左方後脚（２Ｄ）と右方後脚（２Ｅ）の上端に上方に向け連設された背（２Ｊ）から構成され、
昇降板部（３）は、椅子本体部（２）における左方貫（２Ｆ）、右方貫（２Ｇ）、前方貫（２Ｈ）、後方貫（２Ｉ）で囲まれた面積より少し小さい面積に構成された平面方形のパネル（３Ａ）と、このパネルの下面四隅に配設されたキャスター（３Ｂ）から構成され、
作動部（４）は、左方のパネル上下板（４Ａ）と右方のパネル上下板（４Ｂ）と中央アーム板（４Ｃ）から構成され、
左方のパネル上下板（４Ａ）は、左上下板（４Ａ１）と、左第１蝶番（４Ａ２）と、左第２蝶番（４Ａ３）と、左スプリング（４Ａ４）から構成され、左上下板（４Ａ１）は平面前後に長い方形の板で構成され、当該左上下板（４Ａ１）の左方辺は左第１蝶番（４Ａ２）を介して左方貫（２Ｆ）に連結され、左上下板（４Ａ１）の下面における左方辺近傍位置と昇降板部（３）におけるパネル（３Ａ）の上面とは左第２蝶番（４Ａ３）を介して連結され、左上下板（４Ａ１）の上面と座（２Ａ）の底板（２Ａ２）における左部分間には上方に作用する左スプリング（４Ａ４）が張設され、
右方のパネル上下板（４Ｂ）は、右上下板（４Ｂ１）と、右第１蝶番（４Ｂ２）と、右第２蝶番（４Ｂ３）と、右スプリング（４Ｂ４）から構成され、右上下板（４Ｂ１）は平面前後に長い方形の板で構成され、当該右上下板（４Ｂ１）の右方辺は右第１蝶番（４Ｂ２）を介して右方貫（２Ｇ）に連結され、右上下板（４Ｂ１）の下面における右方辺近傍位置と昇降板部（３）におけるパネル（３Ａ）の上面とは右第２蝶番（４Ｂ３）を介して連結され、右上下板（４Ｂ１）の上面と座（２Ａ）の底板（２Ａ２）における右部分間には上方に作用する右スプリング（４Ｂ４）が張設され、
中央アーム板（４Ｃ）は、アーム板（４Ｃ１）と第４蝶番（４Ｃ２）から構成され、アーム板（４Ｃ１）は平面前後に長い方形の板で構成され、左方のパネル上下板（４Ａ）の左上下板（４Ａ１）の右方辺と、右方のパネル上下板（４Ｂ）の右上下板（４Ｂ１）の左方辺の上面に位置する状態で配置され、当該アーム板（４Ｃ１）の先端は第４蝶番（４Ｃ２）を介して椅子本体部（２）の前方貫（２Ｈ）における中央部に連結され、
ストッパ部（５）は、操作板（５Ａ）とスライドロック装置（５Ｂ）から構成され、
操作板（５Ａ）は、平面左右に長い方形の板で構成され、アーム板（４Ｃ１）の後端上面に位置する状態で配置され、当該操作板（５Ａ）の右端は第５蝶番（５Ｅ）を介して右方後脚（２Ｅ）の下方に連結され、操作板（５Ａ）の左端にはリンク用板（５Ｃ）が前後方向の第１ピン（５Ｃ１）で連結され、リンク用板（５Ｃ）の左端には所定寸法のスライドロッド（５Ｄ）が前後方向の第２ピン（５Ｄ１）で上方に向け連結され、
スライドロック装置（５Ｂ）は、椅子本体部（２）の左方後脚（２Ｄ）に取付けられた縦板（５Ｂ１）の上下に正面略コ字状に連設された上板（５Ｂ２）と下板（５Ｂ３）と、上板と下板に開設されたスライドロッド貫通孔（５Ｂ２１、５Ｂ３１）と、縦板（５Ｂ１）の上端部分を支点（Ｓ）として起伏自在に連結された起伏板（５Ｂ４）と、起伏板に開設されたスライドロッド貫通孔（５Ｂ４１）と、上板（５Ｂ２）と起伏板（５Ｂ４）との間に装着されたコイルスプリング（５Ｂ５）から構成され、スライドロッド貫通孔（５Ｂ２１、５Ｂ３１、５Ｂ４１）にスライドロッド（５Ｄ）が垂直状態で貫通されていることを特徴とする椅子。
【請求項３】
請求項２記載の椅子において、左第２蝶番（４Ａ３）を左第２Ａ蝶番（４Ａ５）に、また、右第２蝶番（４Ｂ３）を右第２Ｂ蝶番（４Ｂ５）に構成し、左第２Ａ蝶番（４Ａ５）は、所定高さの縦板（４Ａ５１）の上下端に上下板（４Ａ５２）が水平ピンで連結され、右第２Ｂ蝶番（４Ｂ５）は、所定高さの縦板（４Ｂ５１）の上下端に上下板（４Ｂ５２）が水平ピンで連結されていることを特徴とする椅子。
【発明の詳細な説明】
【０００１】
【発明の属する技術分野】
本発明は、新規な構成を有する椅子に関するものである。
【０００２】
【従来の技術】
従来の椅子は、下記のような構成となっている。
Ａ．固定式の椅子〜座の前方両端に配された左右の前脚と座の後方両端に配された左右の後脚から構成されている。
Ｂ．移動式の椅子〜左右の前脚と左右の後脚の下端には移動用のキャスターが取付けられている。
この場合、必要に応じて座の後辺には背が連設されている。
【０００３】
【発明が解決しようとする課題】
従来の技術で述べたものにあっては、身体が不自由な人が参集する施設で使用する場合、下記のような問題点を有していた。
Ａ．固定式の椅子の場合
身体が不自由な人を椅子に乗せたまま所望する箇所に移動することができない。
Ｂ．移動式の椅子の場合
身体が不自由な人は歩行する時、バランスを失う場合があり、その時付近に椅子があるとつかまり転倒を避けようとする。
その椅子が移動式の椅子であると椅子が移動してしまい、身体が不自由な人も一緒に転倒してしまう心配がある。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、椅子本体部２における左方前脚２Ｂ及び右方前脚２Ｃと左方後脚２Ｄ及び右方後脚２Ｅの内側に、平面方形のパネル３Ａと、このパネルの下面四隅に配設されたキャスター３Ｂから構成されている昇降板部３を昇降可能の状態で配設し、当該昇降板部３におけるキャスター３Ｂが左方前脚２Ｂ及び右方前脚２Ｃと左方後脚２Ｄ及び右方後脚２Ｅの下端を基準にして昇降調整自在に構成されていることを特徴とするものである。
【０００６】
請求項２記載の発明は、椅子本体部２と、昇降板部３と、作動部４と、ストッパ部５から構成され、
Ａ．椅子本体部２は、平面方形の座２Ａと、座２Ａに垂下連設された角柱状の左方前脚２Ｂ及び右方前脚２Ｃと、角柱状の左方後脚２Ｄ及び右方後脚２Ｅと、左方前脚２Ｂと左方後脚２Ｄ間における下端に配置連結された角材状の左方貫２Ｆと、右方前脚２Ｃと右方後脚２Ｅ間における下端に配置連結された角材状の右方貫２Ｇと、左方前脚２Ｂと右方前脚２Ｃ間に配置連結された前方貫２Ｈと、左方後脚２Ｄと右方後脚２Ｅ間に配置連結された後方貫２Ｉと、左方後脚２Ｄと右方後脚２Ｅの上端に上方に向け連設された背２Ｊから構成され、
Ｂ．昇降板部３は、椅子本体部２における左方貫２Ｆ、右方貫２Ｇ、前方貫２Ｈ、後方貫２Ｉで囲まれた面積より少し小さい面積に構成された平面方形のパネル３Ａと、このパネルの下面四隅に配設されたキャスター３Ｂから構成され、
Ｃ．作動部４は、左方のパネル上下板４Ａと右方のパネル上下板４Ｂと中央アーム板４Ｃから構成され、
ａ．左方のパネル上下板４Ａは、左上下板４Ａ１と、左第１蝶番４Ａ２と、左第２蝶番４Ａ３と、左スプリング４Ａ４から構成され、左上下板４Ａ１は平面前後に長い方形の板で構成され、当該左上下板４Ａ１の左方辺は左第１蝶番４Ａ２を介して左方貫２Ｆに連結され、左上下板４Ａ１の下面における左方辺近傍位置と昇降板部３におけるパネル３Ａの上面とは左第２蝶番４Ａ３を介して連結され、左上下板４Ａ１の上面と座２Ａの底板２Ａ２における左部分間には上方に作用する左スプリング４Ａ４が張設され、
ｂ．右方のパネル上下板４Ｂは、右上下板４Ｂ１と、右第１蝶番４Ｂ２と、右第２蝶番４Ｂ３と、右スプリング４Ｂ４から構成され、右上下板４Ｂ１は平面前後に長い方形の板で構成され、当該右上下板４Ｂ１の右方辺は右第１蝶番４Ｂ２を介して右方貫２Ｇに連結され、右上下板４Ｂ１の下面における右方辺近傍位置と昇降板部３におけるパネル３Ａの上面とは右第２蝶番４Ｂ３を介して連結され、右上下板４Ｂ１の上面と座２Ａの底板２Ａ２における右部分間には上方に作用する右スプリング４Ｂ４が張設され、
ｃ．中央アーム板４Ｃは、アーム板４Ｃ１と第４蝶番４Ｃ２から構成され、アーム板４Ｃ１は平面前後に長い方形の板で構成され、左方のパネル上下板４Ａの左上下板４Ａ１の右方辺と、右方のパネル上下板４Ｂの右上下板４Ｂ１の左方辺の上面に位置する状態で配置され、当該アーム板４Ｃ１の先端は第４蝶番４Ｃ２を介して椅子本体部２の前方貫２Ｈにおける中央部に連結され、
Ｄ．ストッパ部５は、操作板５Ａとスライドロック装置５Ｂから構成され、
ａ．操作板５Ａは、平面左右に長い方形の板で構成され、アーム板４Ｃ１の後端上面に位置する状態で配置され、当該操作板５Ａの右端は第５蝶番５Ｅを介して右方後脚２Ｅの下方に連結され、操作板５Ａの左端にはリンク用板５Ｃが前後方向の第１ピン５Ｃ１で連結され、リンク用板５Ｃの左端には所定寸法のスライドロッド５Ｄが前後方向の第２ピン５Ｄ１で上方に向け連結され、
ｂ．スライドロック装置５Ｂは、椅子本体部２の左方後脚２Ｄに取付けられた縦板５Ｂ１の上下に正面略コ字状に連設された上板５Ｂ２と下板５Ｂ３と、上板と下板に開設されたスライドロッド貫通孔５Ｂ２１、５Ｂ３１と、縦板５Ｂ１の上端部分を支点Ｓとして起伏自在に連結された起伏板５Ｂ４と、起伏板に開設されたスライドロッド貫通孔５Ｂ４１と、上板５Ｂ２と起伏板５Ｂ４との間に装着されたコイルスプリング５Ｂ５から構成され、スライドロッド貫通孔５Ｂ２１、５Ｂ３１、５Ｂ４１にスライドロッド５Ｄが垂直状態で貫通されていることを特徴とするものである。
【０００７】
請求項３記載の発明は、請求項２記載の発明において、左第２蝶番４Ａ３を左第２Ａ蝶番４Ａ５に、また、右第２蝶番４Ｂ３を右第２Ｂ蝶番４Ｂ５に構成し、左第２Ａ蝶番４Ａ５は、所定高さの縦板４Ａ５１の上下端に上下板４Ａ５２が水平ピンで連結され、右第２Ｂ蝶番４Ｂ５は、所定高さの縦板４Ｂ５１の上下端に上下板４Ｂ５２が水平ピンで連結されていることを特徴とするものである。
【０００８】
【発明の実施の形態】
以下、本発明の実施の形態を実施例にもとづき図面を参照して説明する。
１は本発明の椅子で、椅子本体部２と、昇降板部３と、作動部４と、ストッパ部５から構成されている。
【０００９】
Ａ．椅子本体部２は、平面方形の枠２Ａ１と枠の下面に張設された底板２Ａ２と底板の上面に敷設されたクッション２Ａ３から構成されている座２Ａと、座２Ａの前辺両端に垂下連設された角柱状の左方前脚２Ｂ及び右方前脚２Ｃと、座２Ａの後辺両端に垂下連設された角柱状の左方後脚２Ｄ及び右方後脚２Ｅと、左方前脚２Ｂと左方後脚２Ｄ間における下端に配置連結された角材状の左方貫２Ｆと、右方前脚２Ｃと右方後脚２Ｅ間における下端に配置連結された角材状の右方貫２Ｇと、左方前脚２Ｂと右方前脚２Ｃ間に配置連結された前方貫２Ｈと、左方後脚２Ｄと右方後脚２Ｅ間に配置連結された後方貫２Ｉと、左方後脚２Ｄと右方後脚２Ｅの上端に上方に向け連設された背２Ｊから構成されている。
図中、２Ｊ１は左背柱、２Ｊ２は右背柱、２Ｊ３は笠木である。
【００１０】
Ｂ．昇降板部３は、椅子本体部２における左方貫２Ｆ、右方貫２Ｇ、前方貫２Ｈ、後方貫２Ｉで囲まれた面積より少し小さい面積に構成された平面方形のパネル３Ａと、このパネルの下面四隅に配設されたキャスター３Ｂから構成されている。
【００１１】
Ｃ．作動部４は、左方のパネル上下板４Ａと右方のパネル上下板４Ｂと中央アーム板４Ｃから構成されている。
ａ．左方のパネル上下板４Ａは、左上下板４Ａ１と、左第１蝶番４Ａ２と、左第２蝶番４Ａ３と、左スプリング４Ａ４から構成されている。
左上下板４Ａ１は平面前後に長い方形の板で構成され、当該左上下板４Ａ１の左方辺は左第１蝶番４Ａ２を介して左方貫２Ｆに連結され、左上下板４Ａ１の下面における左方辺近傍位置と昇降板部３におけるパネル３Ａの上面とは左第２蝶番４Ａ３を介して連結され、左上下板４Ａ１の上面と座２Ａの底板２Ａ２における左部分間には上方に作用する左スプリング４Ａ４が張設されている。
この結果、左上下板４Ａ１を左スプリングに抗して下方に押圧すると昇降板部３の左方部分は降下し、左上下板４Ａ１への押圧を解除すると、左スプリングの作用により当該左上下板は左第１蝶番４Ａ２を支点として傾斜状態で保持されることになる。
図中、４Ａ１１は左上下板４Ａ１の右方辺中央に右方へ突出させた突出部である。
【００１２】
ｂ．右方のパネル上下板４Ｂは、右上下板４Ｂ１と、右第１蝶番４Ｂ２と、右第２蝶番４Ｂ３と、右スプリング４Ｂ４から構成されている。
右上下板４Ｂ１は平面前後に長い方形の板で構成され、当該右上下板４Ｂ１の右方辺は右第１蝶番４Ｂ２を介して右方貫２Ｇに連結され、右上下板４Ｂ１の下面における右方辺近傍位置と昇降板部３におけるパネル３Ａの上面とは右第２蝶番４Ｂ３を介して連結され、右上下板４Ｂ１の上面と座２Ａの底板２Ａ２における右部分間には上方に作用する右スプリング４Ｂ４が張設されている。
この結果、右上下板４Ｂ１を右スプリングに抗して下方に押圧すると昇降板部３の右方部分は降下し、右上下板４Ｂ１への押圧を解除すると、右スプリングの作用により当該右上下板は右第１蝶番４Ｂ２を支点として傾斜状態で保持されることになる。
図中、４Ｂ１１は右上下板４Ｂ１の左方辺中央に左方へ突出させた突出部である。
【００１３】
ｃ．中央アーム板４Ｃは、アーム板４Ｃ１と第４蝶番４Ｃ２から構成されている。
アーム板４Ｃ１は平面前後に長い方形の板で構成され、左方のパネル上下板４Ａの左上下板４Ａ１の右方辺と、右方のパネル上下板４Ｂの右上下板４Ｂ１の左方辺の上面に位置する状態で配置され、当該アーム板４Ｃ１の先端は第４蝶番４Ｃ２を介して椅子本体部２の前方貫２Ｈにおける中央部に連結されている。
この結果、中央アーム板４Ｃを第４蝶番４Ｃ２を支点として左右のスプリングに抗して下方に押圧すると、左上下板４Ａ１の右方辺と右上下板４Ｂ１の左方辺は同時に押し下げられ、さらに昇降板部３は水平状態で降下することになる。
また、押圧を解除すると、左右のスプリングの作用により昇降板部３は所定位置まで上昇し、中央アーム板４Ｃは第４蝶番４Ｃ２を支点として傾斜状態で保持されることになる。
図中、４Ｃ３は中央アーム板４Ｃの下面に取付けられた滑りプレートで、左上下板４Ａ１の右方辺と右上下板４Ｂ１の左方辺の上面に接触し、上述した押圧する作用、押圧を解除する作用を確実に行うことができる。
【００１４】
Ｄ．ストッパ部５は、操作板５Ａとスライドロック装置５Ｂから構成されている。
ａ．操作板５Ａは、平面左右に長い方形の板で構成され、アーム板４Ｃ１の後端上面に位置する状態で配置され、当該操作板５Ａの右端は第５蝶番５Ｅを介して右方後脚２Ｅの下方に連結され、操作板５Ａの左端にはリンク用板５Ｃが前後方向の第１ピン５Ｃ１で連結され、リンク用板５Ｃの左端には所定寸法のスライドロッド５Ｄが前後方向の第２ピン５Ｄ１で上方に向け連結されている。
ｂ．スライドロック装置５Ｂは、椅子本体部２の左方後脚２Ｄに取付けられた縦板５Ｂ１の上下に正面略コ字状に連設された上板５Ｂ２と下板５Ｂ３と、上板と下板に開設されたスライドロッド貫通孔５Ｂ２１、５Ｂ３１と、縦板５Ｂ１の上端部分を支点Ｓとして起伏自在に連結された起伏板５Ｂ４と、起伏板に開設されたスライドロッド貫通孔５Ｂ４１と、上板５Ｂ２と起伏板５Ｂ４との間に装着されたコイルスプリング５Ｂ５から構成され、スライドロッド貫通孔５Ｂ２１、５Ｂ３１、５Ｂ４１にスライドロッド５Ｄが垂直状態で貫通されている。
この結果、図９を参照して、起伏板５Ｂ４をコイルスプリング５Ｂ５に抗して水平状態に押えると、スライドロッド５Ｄは自由に昇降することができる。
図８を参照して、起伏板５Ｂ４を自由にすると、コイルスプリング５Ｂ５の作用により起伏板５Ｂ４は傾斜状態になり、スライドロッド貫通孔５Ｂ４１がスライドロッド５Ｄの外周を押付けることになり、当該スライドロッドをロック状態にすることができる。
【００１５】
図１０、１１、１２を参照して、第２蝶番の他の実施例を説明する。
すなわち、左第２蝶番４Ａ３を左第２Ａ蝶番４Ａ５に、また、右第２蝶番４Ｂ３を右第２Ｂ蝶番４Ｂ５にすることができる。
Ａ．左第２Ａ蝶番４Ａ５は、所定高さの縦板４Ａ５１の上下端に上下板４Ａ５２が水平ピンで連結されている。
Ｂ．右第２Ｂ蝶番４Ｂ５は、所定高さの縦板４Ｂ５１の上下端に上下板４Ｂ５２が水平ピンで連結されている。
Ｃ．これらは縦板を有しているので、確実な蝶番を行うことができる。
【００１６】
【発明の効果】
本発明は、上述の通り構成されているので次に記載する効果を奏する。
１．固定式の椅子として使用する場合
図６のように、スライドロッドを所定高さまで上昇した状態でロックすると、昇降板部３は、左スプリング４Ａ４と右スプリング４Ｂ４により引上げられ、椅子本体部２における左方前脚、右方前脚、左方後脚、右方後脚が接地状態となり固定されることになる。
２．移動式の椅子として使用する場合
図７のようにスライドロッドを所定高さまで降下した状態でロックすると、昇降板部３は左スプリング４Ａ４と右スプリング４Ｂ４に抗して降下し、下面四隅に配設されたキャスター３Ｂが、椅子本体部２における左方前脚、右方前脚、左方後脚、右方後脚の下端より下方へ露出し接地状態となり移動自在となる。
なお、スライドロッドを降下させる場合、ストッパ部５における操作板５Ａを足で軽く踏むことで操作することができる。
そして、身体が不自由な人を椅子にかけた状態で移動することができる。
このように、必要に応じて簡単な操作により固定式の椅子あるいは移動式の椅子として使用することができ、冒頭で指摘した問題を確実に解決できる極めて有用な発明と言うべきものである。
【図面の簡単な説明】
【図１】背面方向から見た斜視図である。
【図２】Ａ−Ａ線断面図である。
【図３】背面方向から見た１部を切欠いた斜視図である。
【図４】背面方向から見た１部を切欠いた斜視図である。
【図５】同上における要部分解図である。
【図６】椅子固定時の状態を説明する１部を切欠いた要部背面図である。
【図７】椅子可動時の状態を説明する１部を切欠いた要部背面図である。
【図８】スライドロック装置のロック時の状態を説明する拡大縦断面図である。
【図９】スライドロック装置のロック解除時の状態を説明する拡大縦断面図である。
【図１０】第２蝶番の他の実施例を説明する分解斜視図である。
【図１１】他の実施例の第２蝶番を用いた場合における椅子固定時の状態を説明する１部を切欠いた要部背面図である。
【図１２】他の実施例の第２蝶番を用いた場合における椅子可動時の状態を説明する１部を切欠いた要部背面図である。
【符号の説明】
１  椅子
２  椅子本体部
３  昇降板部
４  作動部
５  ストッパ部
【図１】
2005021177.tif 000003
【図２】
2005021177.tif 000004
【図３】
2005021177.tif 000005
【図４】
2005021177.tif 000006
【図５】
2005021177.tif 000007
【図６】
2005021177.tif 000008
【図７】
2005021177.tif 000009
【図８】
2005021177.tif 000010
【図９】
2005021177.tif 000011
【図１０】
2005021177.tif 000012
【図１１】
2005021177.tif 000013
【図１２】
2005021177.tif 000014